(57)【要約】      （修正有）【課題】ユニット床材の組立体を床面に敷き詰めた際、外周端部に生じる余り寸法部分を容易に調整できるユニット床材の組立体を提供する。【解決手段】互いに嵌合可能な連結部２ａ，２ｂを備えたユニット床材１を複数個連結した組立体において、外周の少なくとも一部に、その長辺に直交する面の断面が略コの字形状の端部材４を、前記ユニット床材１の上下からはさみ込み、かつ、該端部材４がその短辺と平行方向にスライド可能であるように配置しているユニット床材の組立体。【選択図】図１
2004324084.tif 000002
【特許請求の範囲】
【請求項１】
互いに嵌合可能な連結部を備えたユニット床材を複数個連結した組立体において、外周の少なくとも一部に、その長辺に直交する面の断面が略コの字形状の端部材を、前記ユニット床材の上下からはさみ込み、かつ、該端部材がその短辺と平行方向にスライド可能であるように配置しているユニット床材の組立体。
【請求項２】
端部材下面が、略コの字開口方向に略櫛状に形成されている、請求項１に記載のユニット床材の組立体。
【請求項３】
端部材下面の短辺長さが、長辺方向の中央部が最も長く、中央部から両端部へ移るに従い短くなる略山形状で、かつ、該端部材下面の短辺の少なくとも一部の長さが、端部材上面の短辺の長さより長いことを特徴とする、請求項１または２に記載のユニット床材の組立体。
【請求項４】
端部材が、その上面において略コの字開口部側の端部が下方に傾斜している、請求項１〜３のいずれかに記載のユニット床材の組立体。
【請求項５】
端部材が、隣り合う端部材と互いに嵌合可能な連結部を有する、請求項１〜４のいずれかに記載のユニット床材の組立体。
【請求項６】
請求項１〜５のいずれかに記載のユニット床材の組立体に用いる端部材。
【発明の詳細な説明】
【０００１】
【発明の属する技術分野】
本発明は、バルコニー、ベランダ、テラス等に施工される、ユニット床材の組立体に関する。
【０００２】
【従来の技術】
住宅等のバルコニー、ベランダ、テラス等に、美観の向上等を目的として、合成樹脂製のユニット床材や、合成樹脂製の架台の上面に人工芝、陶磁器質タイル、木材等の化粧材を貼り付けてなるユニット床材を敷き詰めることがよくある。このようなユニット床材は、隣り合うユニット床材と連結可能な連結部を備えており、床面積に合わせて複数個連結させ敷き詰める。
【０００３】
しかし、このようなユニット床材の組立体を床面に敷き詰めた際、ユニット床材組立体の外周端部に、このユニット床材を敷くことのできない余り寸法部分が生じ景観上好ましくなかった。また、この隙間にゴミが溜まりやすく、また清掃しにくかった。
【０００４】
そこで、これら問題を解決するため、この余り寸法部分に寸法を合わせて切断し使用できる幅調整材が使用されている（たとえば、特許文献１参照）。
【０００５】
また、組立体の外周部に縦断面が略コの字の部材を嵌め込み使用している（たとえば、特許文献２参照）。しかしながら、前者は、余り寸法部分に合わせて切断する必要があるし、またこの作業の際に過って床面を傷つけてしまう恐れがあった。後者については、風対策用に考案されたもので、床面と固定して使用され、余り寸法部分に合わせて幅を調整するのは困難であった。
【０００６】
【特許文献１】
特許第３２０１９３７号公報
【０００７】
【特許文献２】
特許第３２０１９６０号公報
【０００８】
【発明が解決しようとする課題】
本発明の目的は、従来のユニット床材の組立体の上述した問題点を解決し、ユニット床材の組立体を床面に敷き詰めた際、外周端部に生じる余り寸法部分を容易に調整できるユニット床材の組立体およびそれに用いる端部材を提供することにある。
【０００９】
【課題を解決するための手段】
上記課題を解決するため、本発明は、互いに嵌合可能な連結部を備えたユニット床材を複数個連結した組立体において、外周の少なくとも一部に、その長辺に直交する面の断面が略コの字形状の端部材を、前記ユニット床材の上下からはさみ込み、かつ、該端部材がその短辺と平行方向にスライド可能であるように配置しているユニット床材の組立体を提供する。
【００１０】
また、端部材下面が、略コの字開口方向に略櫛状に形成されていることが好ましい。さらには、端部材下面の短辺長さが、長辺方向の中央部が最も長く、中央部から両端部へ移るに従い短くなる略山形状で、かつ、該端部材下面の短辺の少なくとも一部の長さが、端部材上面の短辺の長さより長いことが好ましい。また、端部材が、その上面において略コの字開口部側の端部が下方に傾斜していることが好ましい。また、端部材が、隣り合う端部材と互いに嵌合可能な連結部を有することが好ましい。
【００１１】
また、本発明の端部材は、上記ユニット床材に用いるものである。
【００１２】
【発明の実施の形態】
以下、本発明の実施の形態について、図面を参照し詳細に説明する。
【００１３】
図２は、本発明でいうユニット床材の概略斜視図である。ユニット床材１は、架台２と、架台２の上面に装着された人工芝、陶磁器質タイル、木材などからなる複数個の化粧材３とを有する。架台２は隣り合うユニット床材１に嵌合可能な連結部（２ａ：連結環、２ｂ：連結片）を備えている。このようなユニット床材１は、その複数個を連結させ組立体とし、ベランダや屋上等の床上に敷設して使用するものである。このユニット床材の組立体の外周のユニット床材の少なくとも一部に、図３に示すような長辺に直交する面の断面が略コの字形状の端部材４を、ユニット床材１を上下から挟み込み、かつ、端部材４が短辺と平行方向にスライド可能であるように配置する。ここで、端部材４を床上に配置し上方から見た際、長い２辺を長辺、短い２辺を短辺とする。
【００１４】
端部材４を略コの字形状とし、空間を設けることにより、ユニット床材１を挟み込み、短辺と平行方向へのスライドが可能となり、余り寸法部分に合わせて調整が容易に行える。
【００１５】
上記において、ユニット床材の架台はポリエチレン、ポリプロピレン、エチレン−酢酸ビニル共重合体等の合成樹脂の射出成形によって正方形に成形されていることが好ましい。この場合、原料樹脂の使用量を減らし、また軽量化するために上面を格子状にし、孔をあけ成形するのが好ましい。また水捌けを良くするために底面に複数個の脚部を形成するのもよい。なお、ユニット床材を敷き詰めるバルコニー、ベランダ、テラス等の基床の硬度を予測できる場合には、基床よりも柔らかい合成樹脂を選択、使用するのが好ましい。
【００１６】
また、上述の図２の例においては、上面に複数個の化粧材３を装着しているが、化粧材は必須のものではない。すなわち、架台そのものをユニット床材として構成してもよい。さらに、合成樹脂製の化粧材が合成樹脂製の架台と一体成形されていてもよい。
【００１７】
本発明に使用する端部材４の材質は、樹脂を含むことが好ましい。樹脂の種類については、特に限定されず、たとえば、天然樹脂、合成樹脂の中から適宜選択することができる。より好ましくは、ポリエチレン、ポリプロピレン、エチレン−酢酸ビニル共重合体などである。
【００１８】
また、端部材の構成として略コの字上面と下面が、一体成形されていても良いし、上面と下面が個々に成形され、ユニット床材に配置する際に嵌め込んで用いても良い。
【００１９】
端部材の形状として、図４に示すように、略コの字下面が略コの字開口方向に略櫛状に形成されていることが好ましい。櫛の間隔はユニット床材の架台脚部の間隔に合わせるとよい。略櫛状であることにより、図１（ａ）、図１（ｂ）に示すように、ユニット床材１の架台２の架台脚部の間に櫛形状の下面を挿入することができるので、端部材４の短辺と平行方向にスライド可能で、かつ、ユニット床材１が端部材４の挿入によって浮き上がらない。また、端部材４が長辺と平行方向に動きにくいという利点もある。
【００２０】
端部材下面の形状については、図５に示すように端部材下面の短辺長さが、長辺方向の中央部が長く、中央部から両端部へ移るに従い短くなる略山形状であることが、図６に示すように、二個の端部材をユニット床材組立体のコーナー部の隣接する二辺に配置した際に、ユニット床材の任意の辺に配置した端部材の下面端部と、任意の辺と直角に交わる辺に配置した端部材の下面端部４ａ同士が接触することがなく好ましい。
【００２１】
図６は、コーナー部にコーナー用の端部調整材５を用いた例である。
【００２２】
また、図５に示すように端部材が、その上面において、略コの字開口部側の端部が下方に傾斜していることが、ユニット床材に配置した際に、ユニット床材と端部材との間に発生する端部材の厚みに起因する段差を軽減するうえで好ましく、表面に滑り止めのため、凹凸を形成することも安全上好ましい。
【００２３】
さらに図７に示すように、端部材が隣り合う端部材とお互いに嵌合可能な連結部６ａ、６ｂを備えていることが、ユニット床材に配置後、位置がずれにくく、景観上好ましい。
【００２４】
【発明の効果】
本発明のユニット床材の組立体は、その外周にスライド可能な端部材を配置しているので、ユニット床材を床面に敷き詰めた際、外周端部に生じる余り寸法部分を容易に調整することができる。また、端部材の下面が略櫛状に形成されていると、ユニット床材の浮き上がりを防ぐことが可能となる。また、端部材の上面の略コの字開口部側の端部が傾斜していることにより、ユニット床材と端部材との間に発生する段差を軽減することができ、さらに端部材が隣り合う端部材とお互いに嵌合可能であると、位置がずれにくく景観上優れたユニット床材の組立体を提供することができる。
【図面の簡単な説明】
【図１】本発明のユニット床材組立体の一例である。
【図２】本発明で用いるユニット床材の一例の概略斜視図である。
【図３】本発明で用いる端部材の一例を示す概略斜視図である。
【図４】本発明で用いる端部材の他の例を示す概略斜視図である。
【図５】本発明で用いる端部材の他の例を示す概略斜視図である。
【図６】本発明で用いる端部材の配置例を示す概略平面図である。
【図７】本発明で用いる端部材の他の例を示す概略斜視図である。
【符号の説明】
１：ユニット床材
２：架台
２ａ：連結環
２ｂ：連結片
３：化粧材
４：端部材
５：コーナー用端部調整材
６ａ、６ｂ：連結部
【図１】
2004324084.tif 000003
【図２】
2004324084.tif 000004
【図３】
2004324084.tif 000005
【図４】
2004324084.tif 000006
【図５】
2004324084.tif 000007
【図６】
2004324084.tif 000008
【図７】
2004324084.tif 000009